(57)【要約】【課題】耕耘爪の交換作業が容易な耕耘装置、耕耘爪の取付構造、爪ホルダー及び耕耘爪を提供する。【解決手段】耕耘装置１は、回転自在に支持された耕耘軸１０と、耕耘軸１０に取り付けられ、貫通孔３１を有する爪ホルダー３０と、貫通孔３１に挿入される被挿入部２１を基端側に有する耕耘爪２０と、爪ホルダー３０と耕耘爪２０とを締結するボルト４１及びナット４２と、を備え、爪ホルダー３０は、耕耘軸１０の周方向であって軸方向Ｘと直交する方向に貫通孔３１を向けた状態で耕耘軸１０に取り付けられ、貫通孔３１は、一端側から他端側に向かうほど縮幅するテーパ状に形成され、被挿入部２１は、基端側に向かうほど貫通孔３０に合わせて縮幅するテーパ状に形成されているとともに、ボルト４１及びナット４２によって爪ホルダー３０の他端側に締結されている。【選択図】図２
2008092813.tif 000002
【特許請求の範囲】
【請求項１】
回転自在に支持された耕耘軸と、
前記耕耘軸に取り付けられ、貫通孔を有する爪ホルダーと、
前記貫通孔に挿入される被挿入部を基端側に有する耕耘爪と、
前記爪ホルダーと前記耕耘爪とを締結する締結手段と、を備える耕耘装置であって、
前記爪ホルダーは、前記耕耘軸の周方向に前記貫通孔を向けた状態で前記耕耘軸に取り付けられ、
前記貫通孔は、一端側から他端側に向かうほど縮幅するテーパ状に形成され、
前記被挿入部は、基端側に向かうほど前記貫通孔に合わせて縮幅するテーパ状に形成されているとともに、前記締結手段によって前記爪ホルダーの他端側に締結されていることを特徴とする耕耘装置。
【請求項２】
前記耕耘軸は、その周面から径方向外側に向かって延出するフランジ部を有し、
前記爪ホルダーは、前記フランジ部を介して前記耕耘軸に固定されることを特徴とする請求項１に記載の耕耘装置。
【請求項３】
前記被挿入部は、前記締結手段と係合する係合部を有することを特徴とする請求項１又は請求項２に記載の耕耘装置。
【請求項４】
前記耕耘爪の基端側の端部は、前記爪ホルダーの他端側に対して一端側に離間していることを特徴とする請求項１から請求項３のいずれか１項に記載の耕耘装置。
【請求項５】
貫通孔を有する爪ホルダーと、
前記貫通孔に挿入される被挿入部を基端側に有する耕耘爪と、
前記爪ホルダーと前記耕耘爪とを締結する締結手段と、を備える耕耘装置であって、
前記爪ホルダーは、耕耘軸の周方向に前記貫通孔を向けた状態で前記耕耘軸に取り付けられ、
前記貫通孔は、一端側から他端側に向かうほど縮幅するテーパ状に形成され、
前記被挿入部は、基端側に向かうほど前記貫通孔に合わせて縮幅するテーパ状に形成されているとともに、前記締結手段によって前記爪ホルダーの他端側に締結されていることを特徴とする耕耘爪の取付構造。
【請求項６】
耕耘爪を挿入するための貫通孔を有し、耕耘軸の周方向に前記貫通孔を向けた状態で前記耕耘軸に取り付けられる爪ホルダーであって、
前記貫通孔は、一端側から他端側に向かうほど縮幅するテーパ状に形成されていることを特徴とする爪ホルダー。
【請求項７】
一端側から他端側に向かうほど縮幅するテーパ状に形成された貫通孔を有する爪ホルダーに挿入される被挿入部を基端側に有する耕耘爪であって、
前記被挿入部は、基端側に向かうほど前記貫通孔に合わせて縮幅するテーパ状に形成されているとともに、前記締結手段によって前記爪ホルダーの他端側に締結されることを特徴とする耕耘爪。
【発明の詳細な説明】
【技術分野】
【０００１】
本発明は、耕耘機やトラクターに設けられ土地を耕耘するための耕耘装置、耕耘爪の取付構造、爪ホルダー及び耕耘爪に関する。
【背景技術】
【０００２】
特許文献１には、耕耘装置本体に回転自在に支持された耕耘軸に、耕耘軸の径方向に延出する略円盤状のフランジ部を複数設け、このフランジ部にボルト・ナットによって耕耘爪を締結した耕耘装置が記載されている。
【０００３】
また、特許文献２には、耕耘装置本体に回転自在に支持された耕耘軸に、四角筒状の爪ホルダーを取り付け、この爪ホルダーに耕耘爪を挿入してボルト・ナットで締結した耕耘装置が記載されている。この爪ホルダーは、耕耘爪を挿入するための挿入穴を耕耘軸の周方向に向けた状態で耕耘軸に取り付けられている。
【０００４】
また、引用文献３には、耕耘装置本体に回転自在に支持された耕耘軸に、その径方向に延出する略円盤状のフランジ部を複数配置し、このフランジ部に溝型部材を取り付けて爪ホルダーを構成し、この爪ホルダーに耕耘爪を挿入してボルト・ナットで締結した耕耘装置が記載されている。この爪ホルダーは、耕耘爪を挿入するための挿入穴が耕耘軸の径方向に向いている。
【０００５】
これらの特許文献１乃至特許文献３に記載された耕耘装置は、いずれも、耕耘軸の軸方向と平行に設置されたボルトと、これに係合するナットと、によって、耕耘爪と爪ホルダーとを連結している。
【特許文献１】特開２００５−３１８８１９号公報
【特許文献２】特開２００３−２８４４０２号公報
【特許文献３】特開平７−７９６０３号公報
【発明の開示】
【発明が解決しようとする課題】
【０００６】
耕耘爪が磨耗したり、損傷したりした場合には、前記したボルト・ナットを外して新しい耕耘爪に交換する必要がある。
【０００７】
ところが、耕耘装置の耕耘爪は、通常、耕耘軸の軸方向に間隔を隔てて複数設けられるため、耕耘軸の軸方向と平行な向きにボルトが配置されていると、隣接する耕耘爪やフランジ部や爪ホルダーが邪魔になる。そのため、ボルト・ナットの取り付け・取り外し作業に、多くの労力と時間がかかっていた。
【０００８】
また、耕耘爪を爪ホルダーに挿入するタイプの耕耘装置では、耕耘爪と爪ホルダーとの間に土砂などの異物が詰まり、爪ホルダーから耕耘爪を抜き出す作業が非常に困難になることがあった。
【０００９】
本発明はこれらの問題点を解決するために成されたものであり、耕耘爪の交換作業が容易な耕耘装置、耕耘爪の取付構造、爪ホルダー及び耕耘爪を提供することを課題とする。
【課題を解決するための手段】
【００１０】
本発明に係る耕耘装置は、回転自在に支持された耕耘軸と、前記耕耘軸に取り付けられ、貫通孔を有する爪ホルダーと、前記貫通孔に挿入される被挿入部を基端側に有する耕耘爪と、前記爪ホルダーと前記耕耘爪とを締結する締結手段と、を備える耕耘装置であって、前記爪ホルダーは、前記耕耘軸の周方向に前記貫通孔を向けた状態で前記耕耘軸に取り付けられ、前記貫通孔は、一端側から他端側に向かうほど縮幅するテーパ状に形成され、前記被挿入部は、基端側に向かうほど前記貫通孔に合わせて縮幅するテーパ状に形成されているとともに、前記締結手段によって前記爪ホルダーの他端側に締結されていることを特徴とする。
【００１１】
また、本発明に係る耕耘爪の取付構造は、貫通孔を有する爪ホルダーと、前記貫通孔に挿入される被挿入部を基端側に有する耕耘爪と、前記爪ホルダーと前記耕耘爪とを締結する締結手段と、を備える耕耘装置であって、前記爪ホルダーは、耕耘軸の周方向に前記貫通孔を向けた状態で前記耕耘軸に取り付けられ、前記貫通孔は、一端側から他端側に向かうほど縮幅するテーパ状に形成され、前記被挿入部は、基端側に向かうほど前記貫通孔に合わせて縮幅するテーパ状に形成されているとともに、前記締結手段によって前記爪ホルダーの他端側に締結されていることを特徴とする。
【００１２】
かかる構成によれば、爪ホルダーの貫通孔が耕耘軸の周方向に向いており、かつ、耕耘爪の被挿入部が耕耘軸の周方向に向けられた爪ホルダーの他端側に締結されているので、締結手段を取り外して耕耘爪を交換する際に、耕耘軸の軸方向に隣り合う他の爪ホルダーや耕耘爪が邪魔になることがない。そのため、例えばインパクトレンチなどの大型工具が使い易くなり、耕耘爪の交換作業が容易になる。
ここで、「耕耘軸の周方向」は、耕耘軸の軸方向に対して直交する方向だけでなく、耕耘軸の軸方向に対して傾斜する方向を含む。
【００１３】
また、爪ホルダーの貫通孔は、一端側から他端側に向かうほど縮幅するテーパ状に形成され、耕耘爪の被挿入部は、基端側に向かうほど貫通孔に合わせて縮幅するテーパ状に形成されているので、締結手段によって耕耘爪を爪ホルダーの他端側に引き付けることで、耕耘爪を爪ホルダーに隙間なく強固に装着することができる。そのため、耕耘作業中に耕耘爪がぐらつくことがない。
【００１４】
さらに、締結手段を取り外して耕耘爪を引き抜く方向に移動させると、貫通孔の内側面と被挿入部の外側面との隙間が広がるので、貫通孔の内側面と被挿入部の外側面との間に土砂や砂利が噛み込んでいたとしても、耕耘爪を爪ホルダーから容易に引き抜くことができる。そのため、耕耘爪の交換作業が容易になる。
【００１５】
また、前記耕耘軸は、その周面から径方向外側に向かって延出するフランジ部を有し、前記爪ホルダーは、前記フランジ部を介して前記耕耘軸に固定される構成とするのが良い。
【００１６】
かかる構成によれば、特許文献１に記載されているような従来のフランジ式の耕耘装置のフランジ部に、本発明の爪ホルダーを取り付けることで、本発明の耕耘装置を容易に構成することができる。すなわち、従来の耕耘装置の性能を容易に向上させることができる。また、爪ホルダーがフランジ部によって面的に支持されるので、回転軸と爪ホルダーとの取付強度が向上する
【００１７】
また、前記被挿入部は、前記締結手段と係合する係合部を有する構成とするのが良い。
【００１８】
かかる構成によれば、被挿入部に係合部が設けられているので、締結手段の一方を係合部に係合させるとともに、締結手段の他方を爪ホルダーの他端側に係合させて、締結手段を締め付けることにより、耕耘爪と爪ホルダーとを容易且つ強固に締結することができる。また、耕耘爪と締結手段が別体に構成されるので、耕耘爪を交換する際に、締結手段を再利用することができる。
【００１９】
また、前記耕耘爪の基端側の端部は、前記爪ホルダーの他端側に対して一端側に離間している構成とするのがよい。
【００２０】
かかる構成によれば、耕耘爪の基端側の端部と爪ホルダーの他端側との隙間が、締結手段の締め代として機能するので、耕耘爪を爪ホルダーに強力に引き付けることができる。
【００２１】
また、本発明に係る爪ホルダーは、耕耘爪を挿入するための貫通孔を有し、耕耘軸の周方向に前記貫通孔を向けた状態で前記耕耘軸に取り付けられる爪ホルダーであって、前記貫通孔は、一端側から他端側に向かうほど縮幅するテーパ状に形成されていることを特徴とする。
【００２２】
かかる構成によれば、耕耘爪を挿入するための貫通孔を有し、耕耘軸の周方向に前記貫通孔を向けた状態で前記耕耘軸に取り付けられるので、貫通孔の一端側から挿入された耕耘爪を貫通孔の他端側すなわち爪ホルダーの他端側に締結する際に、耕耘軸の軸方向に隣り合う他の爪ホルダーや耕耘爪が邪魔になることがない。そのため、例えばインパクトレンチなどの大型工具が使い易くなり、耕耘爪の交換作業が容易になる。
【００２３】
また、爪ホルダーは、耕耘軸の周面から径方向外側に向かって延出するフランジ部又はホルダー部に、耕耘軸の周方向でに貫通孔を向けた状態で取り付けるための取付部を備える構成とするのがよい。
【００２４】
かかる構成によれば、従来の耕耘軸に爪ホルダーを取り付けるための取付部を備えているので、従来の耕耘装置から本発明に係る耕耘装置を容易に構成することができる。すなわち、従来の耕耘装置の性能を容易に向上させることができる。
【００２５】
また、本発明に係る耕耘爪は、一端側から他端側に向かうほど縮幅するテーパ状に形成された貫通孔を有する爪ホルダーに挿入される被挿入部を基端側に有する耕耘爪であって、前記被挿入部は、基端側に向かうほど前記貫通孔に合わせて縮幅するテーパ状に形成されているとともに、前記締結手段によって前記爪ホルダーの他端側に締結されることを特徴とする。
【００２６】
かかる構成によれば、一端側から他端側に向かうほど縮幅するテーパ状に形成された爪ホルダーの貫通孔の形状に合わせて、耕耘爪の被挿入部が、基端側に向かうほど縮幅するテーパ状に形成されているので、締結手段によって耕耘爪を爪ホルダーの他端側に引き付けることで、耕耘爪を爪ホルダーに隙間なく強固に装着することができる。そのため、耕耘作業中に耕耘爪がぐらつくことがない。さらに、締結手段を取り外して耕耘爪を引き抜く方向に移動させると、貫通孔の内側面と被挿入部の外側面との隙間が広がるので、貫通孔の内側面と被挿入部の外側面との間に土砂や砂利が噛み込んでいたとしても、耕耘爪を爪ホルダーから容易に引き抜くことができる。そのため、耕耘爪の交換作業が容易になる。
【発明の効果】
【００２７】
本発明によれば、耕耘爪の交換作業が容易な耕耘装置、耕耘爪の取付構造、爪ホルダー及び耕耘爪を提供することができる。
【発明を実施するための最良の形態】
【００２８】
次に、本発明を実施するための第１実施形態について、添付図面を参照しながら詳細に説明する。
【００２９】
図１は、第１実施形態に係る耕耘装置を備えた耕耘機の側面図である。図２、は第１実施形態に係る耕耘装置を一部分解して示した斜視図である。図３は、第１実施形態に係る耕耘装置の耕耘爪と爪ホルダーの断面図であり、（ａ）は締結前、（ｂ）は締結後の状態をそれぞれ示している。
【００３０】
図１に示すように、耕耘装置１は、耕耘機２やトラクターの下部（本実施の形態では耕耘機２の下部）に設けられた、土地３を耕耘するための装置である。耕耘装置１は、耕耘機２に回転自在に支持された耕耘軸１０と、耕耘軸１０に固定される耕耘爪２０と、耕耘軸１０の外周面１１（図２参照）に取り付けられ耕耘爪２０を保持して固定する爪ホルダー３０（図２参照）とを備えている。なお、耕耘軸１０の回転方向は、矢印Ａが正回転方向であり、矢印Ｂが逆回転方向である。耕耘作業は、その大半を、耕耘軸１０を正回転方向Ａに回転させて行っている。
【００３１】
耕耘軸１０は、円筒状部材（図２参照）であって、図１に示すように、耕耘機２の進行方向に直交する車幅方向に延在するように配置されている。耕耘軸１０は、耕耘機２の車幅と略同等の長さを有しており、その両端部が、車幅方向両側に設けられた支持アーム４に軸支されている。耕耘軸１０は、耕耘機２の前部に設けられたエンジン５などの駆動装置からの回転動力によって回転するように構成されている。
【００３２】
図２に示すように、耕耘爪２０は、土地３を撹拌する部材であり、耐摩耗性の高い鋼材を用いてブレード状（鉈状）に形成されている。耕耘爪２０は、耕耘軸１０の周方向に９０度ずつ位置をずらしながら軸方向にも位置をずらして、耕耘軸１０に対して螺旋状に取り付けられている。耕耘爪２０は、耕耘軸１０側となる基端側に被挿入部２１を有するとともに、この被挿入部２１の反対側となる先端側に撹拌部２２を有している。
【００３３】
撹拌部２２は、土地３に食い込んでこれを撹拌する部分であり、土地３を撹拌し易いように緩やかに湾曲している。
被挿入部２１は、後記する爪ホルダー３０に挿入される部分であり、爪ホルダー３０の貫通孔３１に合わせて、基端側に向かうほど縮幅するテーパ状に形成されている。
【００３４】
図３（ａ）に示すように、被挿入部２１は、側面視台形状を呈しており、上面２１ａと下面２１ｂとの間隔が基端側に向かうほど小さくなるように形成されている。また、被挿入部２１の側面２１ｃ，２１ｃ（一方のみ図示）は、互いに平行に形成されている。被挿入部２１の基端側の端部２１ｄには、締結手段の一部たるボルト４１が例えば溶接によって植立されている。
【００３５】
図２に示すように、爪ホルダー３０は、耕耘爪２０を保持する部材であり、例えば高張力鋼などを用いて側面視台形状の箱型に構成されている。各爪ホルダー３０は、耕耘軸１０の周方向に９０度ずつ位置をずらしながら軸方向にも位置をずらして、耕耘軸１０に対して螺旋状に取り付けられている。また、爪ホルダー３０は、一端側から他端側に貫通する貫通孔３１を有している。そして、爪ホルダー３０は、耕耘軸１０の周方向であって軸方向Ｘに対して直交する方向に貫通孔３１を向けた状態で、耕耘軸１０の外周面１１に溶接固定されている。
【００３６】
図３（ａ）に示すように、爪ホルダー３０は、鋼製の板状部材を組み合わせてなる四角筒状の胴部３２と、この胴部３２の他端側に取り付けられた底部３３と、から構成されている。胴部３２は、一端側に開口するとともに他端側に向かうほど縮幅するテーパ状に形成された挿入部３２ａを有している。底部３３は、ボルト４１に対応する位置に、挿入部３２ａと爪ホルダー３０の他端側とを連通する連通部３３ａを有している。この挿入部３２ａと連通部３３ａとによって貫通孔３１が構成されている。
【００３７】
挿入部３２ａは、耕耘爪２０の被挿入部２１が挿入される部分である。挿入部３２ａは、断面視台形状を呈しており、他端側（底部３３側）に向かうほどその上面３２ｂと下面３２ｃとの間隔が小さくなるように形成されている。また、挿入部３２ａの側面３２ｄ，３２ｄ（一方のみ図示）は、被挿入部２１の側面２１ｃ，２１ｃの間隔と略同じ間隔に形成されている。挿入部３２ａは、被挿入部２１を挿入したときに、被挿入部２１の基端側の端部２１ｄと底面３３ｂとが離間するように、被挿入部２１の長さ寸法よりも大きい深さ寸法に形成されている（図３（ｂ）参照）。連通部３３ａは、耕耘爪２０の基端側の端部２１ｄに植設されたボルト４１を挿通させる孔である。連通部３３ａは、ボルト４１よりも大径に、且つ、ナット４２よりも小径に形成されている。
【００３８】
ボルト４１及びナット４２は、締結手段を構成する部材である。図３（ｂ）に示すように、ボルト４１は、耕耘爪２０の基端側の端部２１ｄに突設されているので、耕耘爪２０が爪ホルダー３０に挿入されることで、耕耘軸１０の周方向であって軸方向Ｘに直交する方向に配置されることとなる。
耕耘爪２０と爪ホルダー３０とを締結した状態において、ボルト４１の一端側は、耕耘爪２０の基端側の端部２１ｄに溶接固定され、ボルト４１の他端側は、爪ホルダー３０の底部３３に設けられた連通部３３ａから突出し、ナット４２によって爪ホルダー３０の他端側に係合されている。このナット４２を締め付けることにより、耕耘爪２０が爪ホルダー３０に引き付けられ、被挿入部２１の上面２１ａ及び下面２１ｂが挿入部３２ａの上面３２ｂ及び下面３２ｃにそれぞれ当接し、強固に締結されることとなる。
【００３９】
つづいて、第１実施形態に係る耕耘装置１の作用効果について説明する。
【００４０】
第１実施形態に係る耕耘装置１によれば、爪ホルダー３０の貫通孔３１が、耕耘軸１０の周方向であって軸方向Ｘと直交する方向に向いているので、耕耘爪２０の被挿入部２１を爪ホルダー３０の他端側にボルト４１及びナット４２を介して締結する際に、耕耘軸１０の軸方向Ｘに隣り合う他の爪ホルダー３０及び耕耘爪２０（図示省略）が邪魔になることがない。そのため、例えば耕耘軸１０の軸方向Ｘと直交する方向（例えば耕耘機２の後方）からインパクトレンチなどの大型工具をナット４２にあてがうことが可能になり、耕耘爪２０の交換作業が容易になる。
【００４１】
また、爪ホルダー３０の貫通孔３１は、一端側から他端側に向かうほど縮幅するテーパ状に形成され、耕耘爪２０の被挿入部２１は、基端側に向かうほど貫通孔３１に合わせて縮幅するテーパ状に形成されているので、ボルト４１に対してナット４２を締め付けると、耕耘爪２０が爪ホルダー３０に引き付けられ、耕耘爪２０が爪ホルダー３０に隙間なく強固に締結されることとなる。そのため、耕耘作業中に耕耘爪２０がぐらつくことがなく、耕耘作業の作業効率が向上する。
【００４２】
さらに、爪ホルダー３０の貫通孔３１は、一端側から他端側に向かうほど縮幅するテーパ状に形成され、耕耘爪２０の被挿入部２１は、基端側に向かうほど貫通孔３１に合わせて縮幅するテーパ状に形成されているので、ボルト４１からナット４２を取り外して耕耘爪２０を引き抜く方向に移動させると、貫通孔３１の挿入部３２ａの上面３２ｂ及び下面３２ｃと、被挿入部２１の上面２１ａ及び下面２１ｂとの隙間が広がることとなる。そのため、貫通孔３１と被挿入部２１との間に土砂や砂利が噛み込んでいたとしても、隙間が広がることで砂利や土砂の噛み込みがなくなり、耕耘爪２０を爪ホルダー３０から容易に引き抜くことができる。よって、耕耘爪２０の交換作業が容易になる。
【００４３】
つぎに、第２実施形態に係る耕耘装置１Ａについて図４を参照して説明する。説明において、同一の要素には同一の符号を付し、重複する説明は省略する。
【００４４】
図４は、第２実施形態に係る耕耘装置を一部分解して示した斜視図である。
第２実施形態に係る耕耘装置１Ａは、爪ホルダー３０Ａが、フランジ部１２を介して耕耘軸１０Ａに固定されている点が、第１実施形態と異なっている。
【００４５】
図４に示すように、耕耘軸１０Ａは、回転自在に支持された円筒状部材であり、その外周面１１から径方向外側に延出する環状のフランジ部１２を有している。フランジ部１２には、２つのボルト挿通孔１２ａ，１２ａが９０度間隔で４箇所に設けられている。
なお、図示は省略するが、このフランジ部１２は、耕耘軸１０Ａの軸方向Ｘに間隔を隔てて複数設置されている。このような耕耘軸１０Ａは、前記した特許文献１に記載されているように、従来から用いられており、従来はフランジ部１２に耕耘爪（図示せず）が直接取り付けられていた。
【００４６】
爪ホルダー３０Ａは、フランジ部１２に取り付けるための取付部たるボルト３４，３４を有する点が、第１実施形態で説明した爪ホルダー３０（図２参照）と異なっている。すなわち、爪ホルダー３０Ａは、フランジ部１２に取り付けることができるように構成されている。
具体的には、爪ホルダー３０Ａのボルト３４，３４は、フランジ部１２のボルト挿通孔１２ａ，１２ａに対応した間隔で、胴部３２の外側面３２ｅに植立されている。
このボルト３４，３４をフランジ部１２のボルト挿通孔１２ａ，１２ａに挿通させて、ナット３５，３５を締め付けることにより、耕耘軸１０Ａの周方向であって軸方向Ｘと直交する方向に貫通孔３１を向けた状態で、爪ホルダー３０Ａがフランジ部１２を介して耕耘軸１０Ａに取り付けられることとなる。
【００４７】
本実施形態において、フランジ部１２に９０度間隔で取り付けられる４つの爪ホルダー３０Ａのうち、互いに１８０度間隔で配置された２つの爪ホルダー３０Ａ，３０Ａは、フランジ部１２の第１面１２ｂ側に取り付けられている。一方、残りの２つの爪ホルダー３０Ａ，３０Ａは、フランジ部１２の第２面１２ｃ側に取り付けられている。すなわち、１８０度間隔で配置された２つの爪ホルダー３０Ａ，３０Ａを１組とする２組の爪ホルダー３０Ａ，３０Ａは、互いにフランジ部１２の反対側の面に取り付けられている。このようにすれば、耕耘爪２０の取り付け・取り外し時に、９０度間隔で周方向に隣接する爪ホルダー３０Ａが邪魔になることがない。そのため、耕耘爪２０の交換作業が容易になる。
【００４８】
かかる構成によれば、従来の耕耘軸１０Ａのフランジ部１２に、本発明の耕耘爪２０と爪ホルダー３０Ａとを取り付けることによって、従来の耕耘装置を第２実施形態に係る耕耘装置１Ａに容易に改良することができる。そのため、従来の耕耘装置が無駄になることがなく、さらに、耕耘爪２０の交換作業性能を向上させることができる。
なお、爪ホルダー３０Ａは、耕耘爪２０の交換時にフランジ部１２に残置されるので、爪ホルダー３０Ａのボルト３４，３４が耕耘軸１０Ａの軸方向Ｘに向いていても、耕耘爪２０の交換作業に影響しない。
【００４９】
つぎに、第３実施形態に係る耕耘装置１Ｂについて図５を参照して詳細に説明する。説明において、同一の要素には同一の符号を付し、重複する説明は省略する。
【００５０】
図５は、第３実施形態に係る耕耘装置を一部分解して示した斜視図である。
第３実施形態に係る耕耘装置１Ｂは、爪ホルダー３０Ｂが、保持筒１５を介して耕耘軸１０Ｂに固定されている点が、第１実施形態と異なっている。
【００５１】
図５に示すように、耕耘軸１０Ｂは、回転自在な円筒状部材であり、その外周面１１から径方向外側に延出する筒状の保持筒１５を有している。各保持筒１５は、耕耘軸１０Ｂの周方向に９０度間隔で取り付けられるとともに、耕耘軸１０Ｂの軸方向に間隔を隔てて取り付けられている。
このような耕耘軸１０Ｂは、従来から用いられており、従来は保持筒１５に耕耘爪（図示せず）が直接取り付けられていた。
【００５２】
保持筒１５は、第１溝片１６と第２溝片１７とから構成されている。第１溝片１６は、ボルト挿通孔１６ｃを有する底壁１６ａと、この底壁１６ａの両側端から直交方向に延出する側壁１６ｂ，１６ｂとによって溝形に形成されている。第２溝片１７は、ボルト挿通孔１７ｃを有する底壁１７ａと、この底壁１７ａの両側端から直交方向に延出する側壁１７ｂ，１７ｂとによって溝形に形成されている。この第１溝片１６の溝部に第２溝片１７が嵌合することで、筒状の保持筒１５が構成されている。第１溝片１６及び第２溝片１７の下端部は、ボルト挿通孔１６ｃ，１７ｃを耕耘軸１０Ｂの軸方向に向けた状態で、耕耘軸１０Ｂの外周面１１に溶接固定されている。なお、保持筒１５の構造はこれに限定されるものではない。
【００５３】
爪ホルダー３０Ｂは、保持筒１５に取り付けるための取付部３６を有する点が、第１実施形態で説明した爪ホルダー３０（図２参照）と異なっている。すなわち、爪ホルダー３０Ａは、保持筒１５を介して耕耘軸１０Ｂに取り付けることができるように構成されている。
具体的には、爪ホルダー３０Ｂの取付部３６は、保持筒１５の中空部と略同形状の部材であり、胴部３２の底面３２ｆに突設されている。取付部３６は、第１溝片１６及び第２溝片１７のボルト挿通孔１６ｃ，１７ｃに対応する位置に、ボルト挿通孔３６ａを有している。ボルト挿通孔３６ａは、耕耘爪２０が挿入される貫通孔３１に対して直交する向きに形成されている。
【００５４】
爪ホルダー３０の取付部３６を保持筒１５の中空部に嵌入し、ボルト挿通孔１６ｃ，１７，３６ａにボルト１８を挿通してナット１９を締め付けることにより、耕耘軸１０Ｂの周方向であって軸方向Ｘと直交する方向に貫通孔３１を向けた状態で、爪ホルダー３０Ｂが保持筒１５を介して耕耘軸１０Ｂに取り付けられることとなる。
【００５５】
かかる構成によれば、従来の耕耘軸１０Ｂの保持筒１５に、本発明の耕耘爪２０と爪ホルダー３０Ｂとを取り付けることによって、従来の耕耘装置を第３実施形態に係る耕耘装置１Ｂに容易に改良することができる。そのため、従来の耕耘装置が無駄になることがなく、さらに、耕耘爪２０の交換作業性能を向上させることができる。
【００５６】
つぎに、第４実施形態に係る耕耘装置について図６を参照して詳細に説明する。説明において、同一の要素には同一の符号を付し、重複する説明は省略する。
【００５７】
図６は、第４実施形態に係る耕耘装置の耕耘爪と爪ホルダーの断面図であり、（ａ）は締結前、（ｂ）は締結時の状態をそれぞれ示している。
図６（ａ），（ｂ）に示すように、第４実施形態に係る耕耘装置は、耕耘爪２０Ａがボルト４１Ａと別体に構成されている点が、前記した第１実施形態と異なっている。
【００５８】
ボルト４１Ａは、耕耘爪２０Ａと別体の部材であり、頭部４１Ａａと、この頭部４１Ａａから延出する軸部４１Ａｂとから構成されている。頭部４１Ａａの幅寸法は、軸部４１Ａｂの幅寸法よりも大きく形成されている。また、頭部４１Ａａの厚さ寸法は、耕耘爪２０Ａの厚さ寸法と略等しく形成されており、爪ホルダー３０の挿入部３２ａに挿入可能になっている。
【００５９】
耕耘爪２０Ａは、基端側の端部２１ｄに、ボルト４１Ａと係合する係合部２１ｇ，２１ｇを有している。
つまり、耕耘爪２０Ａの被挿入部２１には、ボルト４１Ａの頭部４１Ａａを設置するための頭部設置部２１ｅが、耕耘爪２０Ａの厚さ方向（図６の紙面直交方向）に貫通形成されている。また、耕耘爪２０Ａの被挿入部２１には、頭部設置部２１ｅの幅方向中央部と耕耘爪２０Ａの基端側の端部２１ｄとを連通する軸部設置部２１ｆが、耕耘爪２０Ａの厚さ方向に貫通形成されている。軸部設置部２１ｆは、頭部設置部２１ｅよりも幅狭に形成されている。この軸部設置部２１ｆの両脇部分が、ボルト４１Ａの頭部４１Ａａと係合する係合部２１ｇ，２１ｇとなっている。なお、係合部２１ｇ，２１ｇの構造は、これに限られるものではない。
【００６０】
耕耘爪２０Ａを爪ホルダー３０に取り付ける際には、まず、図６（ａ）に示すように、耕耘爪２０Ａの頭部設置部２１ｅにボルト４１Ａの頭部４１Ａａを設置するとともに、軸部設置部２１ｆにボルト４１Ａの軸部４１Ａｂを設置する。
【００６１】
つぎに、図６（ｂ）に示すように、耕耘爪２０Ａとボルト４１Ａとを組み合わせた状態で、耕耘爪２０Ａの被挿入部２１を爪ホルダー３０の挿入部３１ａに挿入するとともに、ボルト４１Ａの軸部４１Ａｂを爪ホルダー３０の連通部３３ａに挿通する。
【００６２】
そして、爪ホルダー３０の他端側から突出したボルト４１Ａの軸部４１Ａｂにナット４２を係合させて締め付けると、ボルト４１Ａが爪ホルダー３０の他端側に引き付けられる。そうすると、ボルト４１Ａの頭部４１Ａａが、耕耘爪２０Ａの係合部２１ｇ，２１ｇに係合し、耕耘爪２０Ａが爪ホルダー３０に引き付けられる。これにより、耕耘爪２０Ａが爪ホルダー３０に強固に固定されることとなる。
【００６３】
このように、耕耘爪２０Ａとボルト４１Ａとが別体に構成されているので、耕耘爪２０Ａのみを交換して、ボルト４１Ａを再利用することができる。そのため、耕耘爪２０Ａの交換にかかる材料費を低減することができる。
【００６４】
つぎに、第５実施形態に係る耕耘装置について図７を参照して詳細に説明する。説明において、同一の要素には同一の符号を付し、重複する説明は省略する。
【００６５】
図７は、第５実施形態に係る耕耘装置の耕耘爪と爪ホルダーの部分拡大斜視図である。
図７に示すように、第５実施形態に係る耕耘装置は、爪ホルダー３０Ｃが筒状に構成されている点、すなわち底部３３（図３参照）を備えていない点が、前記した第１実施形態と異なっている。
【００６６】
爪ホルダー３０Ｃは、側面視台形状を呈する四角筒形状の部材であり、耕耘爪２０の被挿入部２１が挿入される貫通孔３１Ｃを有している。貫通孔３１Ｃは、爪ホルダー３０Ｃの一端側から他端側に貫通しており、一端側から他端側に向かうほど縮幅するテーパ状に形成されている。貫通孔３１Ｃの幅寸法は、耕耘爪２０の基端側の端部に突設されたボルト４１の幅寸法よりも大きく、ナット４２の幅寸法よりも小さく形成されている。
なお、図示は省略するが、爪ホルダー３０Ｃは、耕耘軸１０（図２参照）の周方向であって軸方向Ｘに直交する方向に貫通孔３１Ｃを向けた状態で、耕耘軸１０に固定されていることはいうまでもない。
【００６７】
耕耘爪２０の被挿入部２１を爪ホルダー３０Ｃに挿入し、爪ホルダー３０Ｃの他端側から突出したボルト４１にナット４２を係合して締め付けると、ナット４２が爪ホルダー３０Ｃの他端側の端面３０Ｃａに係合するとともに、耕耘爪２０がボルト４１を介して爪ホルダー３０Ｃに引き付けられることになる。これにより、耕耘爪２０と爪ホルダー３０Ｃとを強固に固定することができる。
【００６８】
以上、本発明を実施するための最良の形態について図面を参照して詳細に説明したが、本発明はこれらの実施形態に限定されるものではなく、本発明の趣旨を逸脱しない範囲で適宜変更が可能である。
【００６９】
例えば、第１実施形態では、挿入部３２ａの上面３２ｂ及び下面３２ｃのみをテーパ状に形成したが、両側面３２ｄもテーパ状に形成しても良い。このとき、耕耘爪２０の被挿入部２１は、挿入部３２ａの形状に対応して、四角錐台形状に形成される。この他、挿入部３２ａを横断面円形状のテーパ状（すり鉢状）に形成し、被挿入部２１を円錐台形状に形成してもよい。
【００７０】
また、前記第１乃至第五実施形態では、爪ホルダー３０（３０Ａ，３０Ｂ，３０ｃ）を、耕耘軸１０の周方向であって軸方向Ｘに対して直交する方向に貫通孔３１を向けた状態で固着した例を示したが、これは耕耘軸１０と非平行に固着することの例示にすぎない。要するに、爪ホルダー３０の固着方向は、耕耘爪２０の交換時に、他の爪ホルダーあるいは耕耘爪に干渉せずに、インパクトレンチなどの工具をナット４２にあてがうことができるように適宜変えるのが望ましい。
【図面の簡単な説明】
【００７１】
【図１】第１実施形態に係る耕耘装置を備えた耕耘機の側面図である。
【図２】第１実施形態に係る耕耘装置を一部分解して示した斜視図である。
【図３】第１実施形態に係る耕耘装置の耕耘爪と爪ホルダーの断面図であり、（ａ）は締結前、（ｂ）は締結後の状態をそれぞれ示している。
【図４】第２実施形態に係る耕耘装置を一部分解して示した斜視図である。
【図５】第３実施形態に係る耕耘装置を一部分解して示した斜視図である。
【図６】第４実施形態に係る耕耘装置の耕耘爪と爪ホルダーの断面図であり、（ａ）は締結前、（ｂ）は締結時の状態をそれぞれ示している。
【図７】第５実施形態に係る耕耘装置の耕耘爪と爪ホルダーの拡大斜視図である。
【符号の説明】
【００７２】
１      耕耘装置
１０    耕耘軸
２０    耕耘爪
２１    被挿入部
３０    爪ホルダー
３１    貫通孔
４１    ボルト（締結手段）
４２    ナット（締結手段）
【図１】
2008092813.tif 000003
【図２】
2008092813.tif 000004
【図３】
2008092813.tif 000005
【図４】
2008092813.tif 000006
【図５】
2008092813.tif 000007
【図６】
2008092813.tif 000008
【図７】
2008092813.tif 000009